(57)【要約】【課題】所望の場合に自電子ペーパと他電子ペーパとの表示内容の入れ替えが可能な電子ペーパを提供する。【解決手段】電子ペーパＰａは、自電子ペーパから他電子ペーパまでの距離を計算する距離計算部１６ａと、自電子ペーパに表示された書類の重要度Ｉと他電子ペーパに表示された書類の重要度Ｉとを取得する重要度取得部１７ａと、重要度取得部１７ａにより取得された各電子ペーパに表示の書類の重要度に基づき、距離計算部１６ａにより計算された自電子ペーパから他電子ペーパまでの距離に応じて自電子ペーパから順に重要度の高い書類を表示するように、自電子ペーパに表示する書類と他電子ペーパに表示する書類との入れ替えを制御する表示制御部１８ａとを有する。【選択図】図１
2010175604.tif 000002
【特許請求の範囲】
【請求項１】
自電子ペーパから前記１又は２以上の他電子ペーパまでの距離を計算する距離計算部と、
前記自電子ペーパに表示された書類の重要度と前記１又は２以上の他電子ペーパに表示された書類の重要度とを取得する重要度取得部と、
前記重要度取得部により取得された各電子ペーパに表示の書類の重要度に基づき、前記距離計算部により計算された前記自電子ペーパから前記１又は２以上の他電子ペーパまでの距離に応じて前記自電子ペーパから順に重要度の高い書類を表示するように、前記自電子ペーパに表示する書類と前記１又は２以上の他電子ペーパに表示する書類との入れ替えを制御する表示制御部と、を備える電子ペーパ。
【請求項２】
前記表示制御部は、前記自電子ペーパと前記１又は２以上の他電子ペーパとが重なっている場合、上にある電子ペーパ程重要度の高い書類を表示するように、前記自電子ペーパ及び前記１又は２以上の他電子ペーパに表示する書類の入れ替えを制御する請求項１に記載の電子ペーパ。
【請求項３】
前記表示制御部は、前記自電子ペーパと前記１又は２以上の他電子ペーパとが重なっていない場合、前記自電子ペーパと距離が近い電子ペーパ程重要度の高い書類を表示するように、前記自電子ペーパ及び前記１又は２以上の他電子ペーパに表示する書類の入れ替えを制御する請求項１又は請求項２のいずれかに記載の電子ペーパ。
【請求項４】
前記自電子ペーパ及び前記１又は２以上の他電子ペーパは、各電子ペーパに表示されている書類の内容を記憶するメモリをそれぞれ備え、
前記メモリは、前記入れ替え対象となった他電子ペーパと前記自電子ペーパとに表示されている書類の内容を入れ替えて記憶し直す請求項１〜３のいずれかに記載の電子ペーパ。
【請求項５】
前記メモリは、前記自電子ペーパと前記１又は２以上の他電子ペーパとに表示されている書類の重要度の比較が既に行われたかを示すフラグを記憶し、
前記フラグが既に重要度の比較が行われたことを示す場合、前記表示制御部は、前記フラグの他電子ペーパを表示書類の入れ替え対象から除外する請求項１〜４のいずれかに記載の電子ペーパ。
【請求項６】
前記距離計算部により計算された前記自電子ペーパから前記１又は２以上の他電子ペーパまでの距離が所定以上離れている場合、前記表示制御部は、前記所定以上離れている他電子ペーパを表示書類の入れ替え対象から除外する請求項１〜５のいずれかに記載の電子ペーパ。
【請求項７】
前記自電子ペーパのメモリ及び前記１又は２以上の他電子ペーパのメモリは、各電子ペーパに表示されている書類の重要度をそれぞれ記憶し、
前記重要度取得部は、前記自電子ペーパのメモリ及び前記１又は２以上の他電子ペーパのメモリに記憶されている各電子ペーパに表示された書類の重要度をそれぞれ取得する請求項１〜６のいずれかに記載の電子ペーパ。
【請求項８】
前記自電子ペーパ及び前記１又は２以上の他電子ペーパは、各電子ペーパに表示された書類の内容又は前記各電子ペーパに表示された書類の重要度の少なくともいずれかを各電子ペーパのＩＤとともに送信又は受信する送受信部をそれぞれ備える請求項４〜７のいずれかに記載の電子ペーパ。
【請求項９】
前記送受信部により送信又は受信された各電子ペーパの書類の重要度に基づき、前記自電子ペーパの書類の重要度が前記他電子ペーパの書類の重要度より高い場合、前記表示制御部は、前記他電子ペーパを表示書類の入れ替え対象から除外する請求項８に記載の電子ペーパ。
【請求項１０】
前記表示制御部により前記自電子ペーパの書類の重要度と前記他電子ペーパの書類の重要度との比較が実行された場合、前記メモリは、前記重要度の比較が既に行われたこと示すように前記フラグを更新する請求項８又は請求項９のいずれかに記載の電子ペーパ。
【請求項１１】
前記自電子ペーパは、各電子ペーパのうち最後にユーザにより使用された電子ペーパである請求項１〜１０のいずれかに記載の電子ペーパ。
【発明の詳細な説明】
【技術分野】
【０００１】
本発明は、書類等のデータを表示する電子ペーパに関し、特に、複数枚の電子ペーパに表示する書類の表示方法に関する。
【背景技術】
【０００２】
書類等のデータを表示する手段の一つとして電子ペーパが提案されている。電子ペーパは、２枚の基板間に電界を与えることで画像を表示するものである。電子ペーパは、いったん画像を表示させた後は電子ペーパの各画素に電圧をかけなくても長期間同じ画像を表示し続けることができる。電子ペーパの種類としては、反射型ディスプレイが一般的である。
【０００３】
電子ペーパを用いたシステムとしては、例えば、特許文献１〜３に示した技術が提案されている。特許文献１では、ユーザがフォルダを開く動作を行わなくても、ユーザはフォルダに束ねられた電子ペーパが記憶するコンテンツを把握することができ、また、電子ペーパ間でのコンテンツデータの転送等のデータ処理を行うことが可能な電子ペーパファイルシステムが提案されている。
【０００４】
特許文献２では、電子ペーパ毎に電子ペーパを特定する識別番号が付与されていて、ページ管理手段は、上記識別番号に基づいて各電子ペーパに送信すべきデータを決定し、通信手段を介して当該データを各電子ペーパに送信する電子ペーパファイルシステムが提案されている。例えば、ユーザが複数の電子ペーパの識別番号をページ管理手段に入力しておくことにより、ページ管理手段は、識別番号の小さい電子ペーパから順にデータを送信することができる。
【０００５】
特許文献３では、フレキシブルな表示媒体である電子ペーパと、この電子ペーパを複数枚装着可能な本体とからなる電子ペーパファイルを使用し、ファイル中の電子ペーパに目印を表示する電子ペーパファイルシステムが提案されている。この電子ペーパファイルシステムによれば、所定の文字列等が表示された電子ペーパへ目印を表示することにより、ユーザは所望のページを容易に見つけることができる。
【先行技術文献】
【特許文献】
【０００６】
【特許文献１】特開２００６−３９８３４号公報
【特許文献２】特開２００３−２２２５７号公報
【特許文献３】国際公開第０２／０５６２８４  Ａ１パンフレット
【発明の概要】
【発明が解決しようとする課題】
【０００７】
しかしながら、特許文献１の場合、単独の電子ペーパファイルであれば、電子ペーパが記憶するコンテンツを把握するのは容易であるが、同一電子ペーパファイルを複数個重ねた場合には、どの電子ペーパファイルに何が書いてあるのかを把握する際、各電子ペーパファイルを取り出して確認する必要があり、煩雑である。
【０００８】
特許文献２の場合、複数種類の電子ペーパへの書き込みを管理できる（たとえば、各電子ペーパに順番にデータを書き込める）が、データが複数枚の電子ペーパに表示された後に複数枚の電子ペーパの順番に変更が生じても、各電子ペーパの表示内容が変わらないため、表示データの記載順が電子ペーパの前後で入れ替わる場合が生じ、管理が難しくなる。
【０００９】
特許文献３の場合、種類枚の電子ペーパを綴じて管理することが前提であって、電子ペーパを本体から外してバラバラにしたときには所望のページをみつけることが難しい。
【００１０】
このように、電子ペーパに表示された書類が複数枚置かれている場合には、外見上、同一形状の電子ペーパに対して、どの電子ペーパに何が書いてあるのか分かりづらく、優先順位の高い書類や期限が早く到来する書類の処理を忘れる恐れがある。
【００１１】
また、重要な書類を表示した電子ペーパがユーザから遠くに置かれている場合には、遠い位置に配置された電子ペーパの書類がユーザの視界に入らず、ユーザの意識から遠ざかり、重要であるにもかかわらずその書類の処理を忘れる恐れがある。
【００１２】
上記問題を解消するために、本発明では、所望の場合に自電子ペーパに表示されている内容と他電子ペーパに表示されている内容との表示の入れ替えが可能な電子ペーパを提供する。
【課題を解決するための手段】
【００１３】
すなわち、上記課題を解決するために、本発明のある態様によれば、自電子ペーパから前記１又は２以上の他電子ペーパまでの距離を計算する距離計算部と、前記自電子ペーパに表示された書類の重要度と前記１又は２以上の他電子ペーパに表示された書類の重要度とを取得する重要度取得部と、前記重要度取得部により取得された各電子ペーパに表示の書類の重要度に基づき、前記距離計算部により計算された前記自電子ペーパから前記１又は２以上の他電子ペーパまでの距離に応じて前記自電子ペーパから順に重要度の高い書類を表示するように、前記自電子ペーパに表示する書類と前記１又は２以上の他電子ペーパに表示する書類との入れ替えを制御する表示制御部と、を有する電子ペーパが提供される。
【００１４】
通常、電子ペーパは外見上ほぼ同一の形状をしているので、どの電子ペーパに何が書いてあるのか分かりづらい。これに対して、かかる構成によれば、前記自電子ペーパから前記１又は２以上の他電子ペーパまでの距離に応じて前記自電子ペーパから順に重要度の高い書類を表示することができる。これにより、電子ペーパに表示された書類が重ねて置かれている場合であっても、上に置かれた電子ペーパ程重要度の高い書類が表示されるように、自電子ペーパと他電子ペーパとの表示内容を自動的に入れ替えることができる。これにより、重要な書類がより上方の電子ペーパに表示されるため、優先順位の高い書類や重要な書類の処理のし忘れを低減し、間違いなく計画的に書類を処理することができる。
【００１５】
また、電子ペーパに表示された書類をバラバラに広げて置かれている場合にも、重要な書類がなるべくユーザに近い位置に置かれた電子ペーパに表示されるように自電子ペーパと他電子ペーパとの表示内容を自動的に入れ替えることができる。これにより、より重要な書類がユーザの視界に入り易い位置に表示されるため、重要な書類の処理のし忘れが起きにくく、間違いなく計画的に書類を処理することができる。
【００１６】
前記表示制御部は、前記自電子ペーパと前記１又は２以上の他電子ペーパとが重なっている場合、上にある電子ペーパ程重要度の高い書類を表示するように、前記自電子ペーパ及び前記１又は２以上の他電子ペーパに表示する書類の入れ替えを制御してもよい。
【００１７】
前記表示制御部は、前記自電子ペーパと前記１又は２以上の他電子ペーパとが重なっていない場合、前記自電子ペーパと距離が近い電子ペーパ程重要度の高い書類を表示するように、前記自電子ペーパ及び前記１又は２以上の他電子ペーパに表示する書類の入れ替えを制御してもよい。
【００１８】
前記自電子ペーパ及び前記１又は２以上の他電子ペーパは、各電子ペーパに表示されている書類の内容を記憶するメモリをそれぞれ備え、前記メモリは、前記入れ替え対象となった他電子ペーパと前記自電子ペーパとに表示されている書類の内容を入れ替えて記憶し直してもよい。
【００１９】
前記メモリは、前記自電子ペーパと前記１又は２以上の他電子ペーパとに表示されている書類の重要度の比較が既に行われたかを示すフラグを記憶し、前記フラグが既に重要度の比較が行われたことを示す場合、前記表示制御部は、前記フラグの他電子ペーパを表示書類の入れ替え対象から除外してもよい。
【００２０】
前記距離計算部により計算された前記自電子ペーパから前記１又は２以上の他電子ペーパまでの距離が所定以上離れている場合、前記表示制御部は、前記所定以上離れている他電子ペーパを表示書類の入れ替え対象から除外してもよい。
【００２１】
前記自電子ペーパのメモリ及び前記１又は２以上の他電子ペーパのメモリは、各電子ペーパに表示されている書類の重要度をそれぞれ記憶し、前記重要度取得部は、前記自電子ペーパのメモリ及び前記１又は２以上の他電子ペーパのメモリに記憶されている各電子ペーパに表示された書類の重要度をそれぞれ取得してもよい。
【００２２】
前記自電子ペーパ及び前記１又は２以上の他電子ペーパは、所望のデータを送信又は受信する送受信部をそれぞれ備え、前記送受信部は、前記１又は２以上の他電子ペーパのメモリに記憶されている書類の内容及び書類の重要度の少なくともいずれかを送信又は受信してもよい。
【００２３】
前記送受信部により送信又は受信された各電子ペーパの書類の重要度に基づき、前記自電子ペーパの書類の重要度が前記他電子ペーパの書類の重要度より高い場合、前記表示制御部は、前記他電子ペーパを表示書類の入れ替え対象から除外してもよい。
【００２４】
前記送受信部により送信又は受信された各電子ペーパの書類の重要度に基づき、前記自電子ペーパの書類の重要度が前記他電子ペーパの書類の重要度より高い場合、前記表示制御部は、前記他電子ペーパを表示書類の入れ替え対象から除外し、前記メモリは、前記自電子ペーパの書類の重要度と前記他電子ペーパの書類の重要度の比較が既に行われたこと示すように前記フラグを更新してもよい。
【００２５】
前記自電子ペーパは、各電子ペーパのうち最後ユーザにより使用された電子ペーパであってもよい。
【発明の効果】
【００２６】
以上説明したように、本発明によれば、所定の場合に自電子ペーパに表示されている内容と他電子ペーパに表示されている内容との表示の入れ替えが可能な電子ペーパを提供することができる。
【図面の簡単な説明】
【００２７】
【図１】一実施形態に係る電子ペーパファイルシステムの一例を示した図である。
【図２】同実施形態に係る電子ペーパファイルシステムの機能構成図である。
【図３】図３（ａ）〜図３（ｆ）は、同実施形態に係る各電子ペーパのメモリに記憶されたデータの一例である。
【図４】同実施形態に係る電子ペーパによって実行される入れ替え表示処理を示したフローチャートである。
【図５】図４の入れ替え表示処理から呼び出される距離算出処理を示したフローチャートである。
【図６】図６（ａ）〜図６（ｆ）は、同実施形態に係る入れ替え後の各電子ペーパのメモリに記憶されたデータの一例である。
【図７】表示入れ替え後の電子ペーパの全体構成図の一例を示した図である。
【発明を実施するための形態】
【００２８】
以下に添付図面を参照しながら、本発明の一実施形態に係る電子ペーパファイルシステムについて詳細に説明する。なお、以下の説明及び添付図面において、同一の構成及び機能を有する構成要素については、同一符号を付することにより、重複説明を省略する。
【００２９】
なお、説明は以下の順序で行う。
１．電子ペーパファイルシステムの全体構成
２．電子ペーパの機能構成
３．入れ替え表示処理
４．距離算出処理
５．表示入れ替え結果
【００３０】
まず、本発明の一実施形態に係る電子ペーパファイルシステムの全体構成について、図１を参照しながら説明する。図１は、本実施形態に係る電子ペーパファイルシステム１００を模式的に示した全体構成図である。
【００３１】
［１．電子ペーパファイルシステムの全体構成］
本実施形態に係る電子ペーパファイルシステム１００は、複数枚の電子ペーパを有している。ここでは、６枚の電子ペーパＰａ〜Ｐｆが描かれているが、電子ペーパの枚数はこれに限られず、２枚以上であればよい。電子ペーパは、２枚の基板間に電界を与えることで画像を表示するものであり、いったん画像を表示させた後は各画素に電圧をかけなくても長期間同じ画像を表示し続けるディスプレイである。電子ペーパの種類としては、たとえば、反射型ディスプレイを使用することができる。
【００３２】
電子ペーパは、電子ペーパＰａ〜Ｐｃのように重ねられたり、電子ペーパＰｄ〜Ｐｆのようにバラバラに広げられたりして配置されている。電子ペーパＰａ〜Ｐｆの表示部１１ａ〜１１ｆには書類Ａ〜Ｆがそれぞれ表示されている。ここでは、電子ペーパＰａ〜Ｐｆのうち、重ねられた電子ペーパの一番上の電子ペーパＰａが最後にユーザにより使用された電子ペーパである。以下、表示入れ替えの基準となる電子ペーパを自電子ペーパと称呼し、入れ替えの相手方となり得る電子ペーパを他電子ペーパと称呼して区別する。通常、最後にユーザにより使用された電子ペーパが自電子ペーパとなり、それ以外の電子ペーパが他電子ペーパとなる。各電子ペーパに表示された書類は、文字データであってもよく、画像データであってもよく、これらのデータが混在していてもよい。
【００３３】
自電子ペーパと他電子ペーパとは送信部１４ａ〜１４ｆ及び受信部１５ａ〜１５ｆにより互いに通信可能である。各電子ペーパＰａ〜Ｐｆにはセンサ１３ａ〜１８ｆがそれぞれ搭載されており、各電子ペーパが自分自身で置かれた時の衝撃を検出することにより、各電子ペーパが最後にユーザにより使用された電子ペーパであるかを判断する。各電子ペーパにそれぞれプロセッサが搭載されることにより、電子ペーパ毎に表示の入れ替え制御が実行できるようになっている。
【００３４】
電子ペーパＰａ〜Ｐｆは外見上ほぼ同一の形状をしているので、どの電子ペーパに何が書いてあるのか分かりにくい。各電子ペーパにいつまでに処理しなければならない書類が表示されているかも分かりにくい。従って、本実施形態に係る電子ペーパファイルシステム１００では、図１に示したように、各電子ペーパＰａ〜Ｐｆに受信部１４ａ〜１４ｆと送信部１５ａ〜１５ｆとを設け、隣接する電子ペーパ間の距離を測り、複数の電子ペーパが重ねられている場合には、上に置かれた電子ペーパ程重要度の高い書類が表示されるように、複数の電子ペーパの表示内容を自動的に入れ替える。電子ペーパに表示された書類をバラバラに広げて置かれている場合にも、重要な書類がなるべくユーザに近い位置に置かれた電子ペーパに表示されるように複数の電子ペーパの表示内容を自動的に入れ替える。なお、表示内容の入れ替え処理の詳細は後述する。
【００３５】
［２．電子ペーパの機能構成］
次に、電子ペーパの機能構成について説明する。図２は、本実施形態に係る電子ペーパの機能構成を示した機能ブロック図である。各電子ペーパＰａ〜Ｐｆはすべて同一機能を有しているので、ここでは電子ペーパＰａを代表してその機能構成を説明する。電子ペーパＰａは、表示部１１ａ、メモリ１２ａ、センサ１３ａ、送信部１４ａ、受信部１５ａ、距離計算部１６ａ、重要度取得部１７ａ及び表示制御部１８ａを有する。
【００３６】
表示部１１ａは、表示制御部１８ａに接続されている。表示制御部１８ａは、表示部１１ａ、メモリ１２ａ、重要度取得部１７ａ、距離計算部１６ａ及び送信部１４ａに接続されている。メモリ１２ａは、表示制御部１８ａ及び重要度取得部１７ａに接続されている。距離計算部１６ａは、表示制御部１８ａ、送信部１４ａ、受信部１５ａ及びセンサ１３ａに接続されている。送信部は、表示制御部１８ａ及び距離計算部１６ａに接続されている。受信部１５ａは、距離計算部１６ａに接続されている。センサ１３ａは、距離計算部１６ａに接続されている。
【００３７】
電子ペーパは、ある決められた時間間隔ｔ毎に、近くにある電子ペーパと通信し、電子ペーパ間の距離Ｌを計測する。距離の計算方法は一般的な方法であればよく、特に限定されないが、例えば、センサ１３ａで電子ペーパＰａが置かれたことを検出すると、送信部１４ａから距離計測を行うことを指令する信号が送信される。センサ１３ａとしては、たとえば、加速度センサを搭載し、電子ペーパが机上に置かれたときの衝撃を検出する。前記距離計測を行うことを指令する信号を受信した電子ペーパは、その端末のＩＤを載せて返信する。返信信号の到着時間と前記ＩＤとから各電子ペーパ間の距離を算出することができる。以下、各部の機能の説明とともに、より詳しく説明する。
【００３８】
表示部１１ａは、書類の内容を表示するディスプレイである。表示部１１ａにいったん書類Ａの画像を表示させた後は表示部１１ａの各画素に電圧をかけなくても書類Ａの画像を表示し続けることができる。図１を見ると、表示部１１ａに表示された書類Ａは期限２／１０までに処理すべき書類であることがわかる。本実施形態では、各書類の処理期限から各書類の重要度を定める。
【００３９】
メモリ１２ａは、電子ペーパＰａに表示されている書類Ａの内容を記憶する。メモリ１２ａは、表示の入れ替え制御が実行される際、表示の入れ替え対象となった他電子ペーパのメモリに記憶されたデータと入れ替えて記憶し直す。
【００４０】
メモリ１２ａは、電子ペーパＰａに表示されている書類Ａの重要度Ｉを記憶する。この結果、たとえば、電子ペーパＰａのメモリ１２ａには、図３（ａ）に示したように、書類Ａの内容と他電子ペーパＰｂ〜Ｐｆに対するフラグｆｌと書類Ａの重要度Ｉが記憶される。ここでは、電子ペーパＰａと電子ペーパＰｆとに表示されている書類の重要度Ｉの比較が既に行われていることがわかる。また、書類Ａの重要度Ｉは書類Ａの処理期限２／１０であることがわかる。
【００４１】
メモリ１２ａは、表示制御部１８ａにより自電子ペーパＰａの書類Ａの重要度と他電子ペーパＰｂ〜Ｐｆの書類Ｂ〜Ｆの重要度の比較が実行された場合、既に重要度の比較が行われたこと示すようにフラグｆｌを０から１に書き替える。
【００４２】
同様にして、他電子ペーパＰｂ〜Ｐｆのメモリ１２ｂ〜１２ｆにも書類の内容、フラグ、重要度等が記憶される。図３（ｂ）〜図３（ｆ）には、他電子ペーパＰｂ〜Ｐｆのメモリ１２ｂ〜１２ｆに記憶されたデータの一例が示されている。
【００４３】
センサ１３ａは、前述したように加速度センサであってもよい。ユーザが電子ペーパＰａを机の上の自分の前に置くと、センサ１３ａは置かれたと時の衝撃を検出する。図１のように電子ペーパＰａ〜Ｐｆが位置づけられるとき、電子ペーパＰａが置かれたときの衝撃はセンサ１３ａ〜１３ｃにより検出され、センサ１３ｄ〜１３ｆはこれを検出しない。これにより、電子ペーパＰａ〜Ｐｃが重なっていて、電子ペーパＰａと電子ペーパＰｄ〜Ｐｆとはバラバラに広がっていると判定することができる。また、電子ペーパＰａが置かれたときの衝撃を検出したセンサ１３ａ〜１８ｃのセンサ値の大小関係を比較することにより、センサ１３ａが一番大きな衝撃を検出したことが認識できる。これによって、電子ペーパＰａは、最後にユーザにより使用された電子ペーパであると判定することができる。したがって、図に示した各電子ペーパの配置の場合、自電子ペーパは、各電子ペーパＰａ〜Ｐｆのうち最後にユーザにより使用された電子ペーパＰａであると判定される。
【００４４】
センサ１３ａは、電子ペーパの曲げ状態を検出するベンディングセンサ等であってもよい。これによっても、ユーザが電子ペーパを持つことにより生じる電子ペーパの曲げや歪みにより、ユーザに最後に使われた電子ペーパを判定することができる。センサ１３ａとしては、力センサ、圧力センサ、歪みセンサ、ジャイロセンサ等を用いることもできる。
【００４５】
送信部１４ａ及び受信部１５ａは、他電子ペーパＰｂ〜Ｐｆとの間にて送信及び受信をそれぞれ行い、各電子ペーパに表示された書類の内容や各電子ペーパに表示された書類の重要度を各電子ペーパのＩＤとともに送信又は受信する。なお、送信部１４ａ及び受信部１５ａは送受信部に相当する。
【００４６】
電子ペーパＰａが置かれたときの衝撃がセンサ１３ａにより検出されたとき、送信部１４ａは、電子ペーパＰａから他電子ペーパＰｂ〜Ｐｆまでの距離を計測することを他電子ペーパに要求するための距離計測要求信号を送出する。その信号を受信した他電子ペーパＰｂ〜Ｐｆは、直ちに他電子ペーパＰｂ〜ＰｆのＩＤ情報付き返信信号を返信する。受信部１５ａは、他電子ペーパＰｂ〜Ｐｆからの返信信号を受信する。
【００４７】
距離計算部１６ａは、自電子ペーパＰａから他電子ペーパＰｂ〜Ｐｆまでの距離をそれぞれ計算する。電子ペーパＰａは、予め定められた時間間隔ｔで、電子ペーパＰａの近くに位置する他電子ペーパＰｂ〜Ｐｆと通信を行い、自電子ペーパＰａから各他電子ペーパＰｂ〜Ｐｆまでの距離Ｌをそれぞれ計算する。距離の計算方法の一例としては、距離計算部１６ａは、距離計測要求信号の送信時刻から各他電子ペーパＰｂ〜Ｐｆの返信信号の受信時刻までに掛った時間と各返信信号の持つＩＤとから、自電子ペーパＰａから各他電子ペーパＰｂ〜Ｐｆまでの距離を計算する。ただし、電子ペーパ同士の距離の計算方法は上記方法に限られず、一般的な距離算出方法を用いることができる。
【００４８】
重要度取得部１７ａは、電子ペーパＰａに表示された書類Ａの重要度Ｉと他電子ペーパＰｂ〜Ｐｆに表示された書類Ｂ〜Ｆの重要度Ｉとを取得する。書類Ａ〜Ｆの重要度Ｉは、以前に一度計算されていれば、各メモリ１２ａ〜１３ｆに記憶されている。よって、この場合には、重要度取得部１７ａは、電子ペーパＰａのメモリ１２ａ及び他電子ペーパＰｂ〜Ｐｆのメモリ１２ｂ〜１２ｆに記憶されている書類Ａ〜Ｆの重要度Ｉをそれぞれ取得する。一方、これまでに各重要度が一度も計算されていない場合、自電子ペーパＰａに収められている書類Ａの重要度を計算又は抽出する。
【００４９】
他電子ペーパに表示された書類の重要度は、該当他電子ペーパから自電子ペーパＰａに送信される。たとえば、他電子ペーパのメモリに重要度が保存されている場合、送信部１４ａ及び受信部１５ａを用いて該当他電子ペーパと通信を行い、該当他電子ペーパのメモリに保存された重要度を獲得する。他電子ペーパのメモリに重要度が保存されていない場合には、他電子ペーパの重要度計算部は、自ら重要度の計算又は抽出を行い、そのデータを自電子ペーパに送信する。
【００５０】
前述したように、本実施形態では、書類の重要度は書類の処理期限（締切日）であり、自電子ペーパＰａの場合、書類Ａの期限２／１０である。しかしこれに限られず、重要度は、電子ペーパが表示する画像の種類によって最適化することができる。たとえば、電子ペーパが表示する書類が特許用書類であれば、重要度を示す項目として出願番号を利用してもよい。また、重要度を示す項目として書類を扱う組織毎に決められた書類の機密情報を、重要度を示す項目として利用してもよい。また、特許用書類の場合、出願前にはドラフト期限日を重要度に利用し、出願後には出願日や審査請求日を重要度に利用してもよい。書類の期限を第１重要度とし、各電子ペーパに最後にアクセスした日付を第２重要度と定めてもよい。このように、書類の重要度はあらかじめ組織内で何を基準にしておくかが決められている。また、重要度取得部１７ａは、締め切りの日付等を重要度の算定に用いる場合には、各書類の文章内の日付を抽出することにより、重要度を取得するようにしてもよい。
【００５１】
表示制御部１８ａは、重要度取得部１７ａにより取得された各電子ペーパＰａ〜Ｐｆにそれぞれ表示の書類Ａ〜Ｆの重要度Ｉに基づき、距離計算部１６ａにより計算された自電子ペーパＰａから他電子ペーパＰｂ〜Ｐｆまでの距離Ｌに応じて自電子ペーパＰａから順に重要度の高い書類を表示するように、自電子ペーパＰａに表示する書類と他電子ペーパＰｂ〜Ｐｆのいずれかに表示する書類の入れ替えを制御する。
【００５２】
自電子ペーパＰａと他電子ペーパＰｂ〜Ｐｆとが重なっている場合、表示制御部１８ａは、上にある電子ペーパ程重要度の高い書類を表示するように、自電子ペーパＰａ及び他電子ペーパＰｂ〜Ｐｆに表示された書類の入れ替えを制御する。この結果、図１に示した電子ペーパの状態では、電子ペーパＰａ→電子ペーパＰｂ→電子ペーパＰｃの順に重要度の高い書類を表示するように各電子ペーパに表示する書類の入れ替え制御がなされる。
【００５３】
自電子ペーパＰａと他電子ペーパＰｂ〜Ｐｆとが重なっておらず、バラバラに広がっている場合、表示制御部１８ａは、自電子ペーパＰａと距離が近い電子ペーパ程重要度の高い書類を表示するように、自電子ペーパＰａ及び他電子ペーパＰｂ〜Ｐｆに表示する書類の入れ替えを制御する。この結果、図１に示した電子ペーパの状態では、自電子ペーパＰａと最も距離が近い電子ペーパＰｄ→次に距離が近い電子ペーパＰｅ→最も遠い電子ペーパＰｆの順に重要度の高い書類を表示するように表示書類の入れ替え制御がなされる。
【００５４】
なお、距離計算部１６ａにより計算された自電子ペーパＰａから他電子ペーパＰｂ〜Ｐｆまでの距離Ｌが所定以上（予め定められた閾値ｔｈ以上）離れている場合、表示制御部１８ａは、所定以上離れている他電子ペーパを表示書類の入れ替え対象から除外する。
【００５５】
また、送信部１４ａ又は受信部１５ａにより送信又は受信された各電子ペーパＰａ〜Ｐｆの書類の重要度Ｉに基づき、自電子ペーパＰａの書類の重要度が他電子ペーパＰｂ〜Ｐｆのいずれかに表示された書類の重要度より高い場合、表示制御部１８ａは、該当他電子ペーパを表示書類の入れ替え対象から除外する。
【００５６】
各部への指令は、専用の制御デバイスあるいはプログラムを実行するプロセッサ１９ａにより実行される。後述する入れ替え表示処理及び距離算出処理を実行するためのプログラムは、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）やＨＤＤ（Ｈａｒｄ  Ｄｉｓｋ  Ｄｒｉｖｅ）（いずれも図示せず）に予め記憶されていて、プロセッサ１９ａ（ＣＰＵ）が、各プログラムを読み出し実行することにより、距離計算部１６ａ、重要度取得部１７ａ、表示制御部１８ａ等の機能が実現される。
【００５７】
［３．入れ替え表示処理］
次に、電子ペーパにより実行される入れ替え表示処理及び距離算出処理について図４及び図５を参照しながら説明する。図４は、本実施形態に係る電子ペーパによって実行される入れ替え表示処理を示したフローチャートである。図５は、本実施形態に係る電子ペーパによって実行される距離算出処理を示したフローチャートである。前述したとおり、各電子ペーパＰａ〜Ｐｆはすべて同一機能を有しているので、ここでは電子ペーパＰａにより実行される入れ替え表示処理についてのみ説明する。まず、入れ替え表示処理がステップＳ４００から開始されると、ステップＳ４０５にて距離算出処理が呼び出される。
【００５８】
［４．距離算出処理］
距離算出処理は、図５のステップＳ５００から開始され、ステップＳ５０５にて、距離計算部１６ａは、センサ１３ａにより検出されたセンサ値を取得する。次に、ステップＳ５１０にて、距離計算部１６ａは、電子ペーパＰａから他電子ペーパＰｂ〜Ｐｆまでの距離を計測することを他電子ペーパに伝えるための距離計測要求信号を送信する。
【００５９】
次に、ステップＳ５１５にて、距離計算部１６ａは、他電子ペーパＰｂ〜Ｐｆからの返信信号を受信する。ついで、ステップＳ５２０にて、距離計算部１６ａは、距離計測要求信号の送信時刻から各他電子ペーパＰｂ〜Ｐｆからの返信信号の受信時刻までにかかった時間と各返信信号に含まれる返信信号を送出した電子ペーパのＩＤとから、自電子ペーパＰａから各他電子ペーパＰｂ〜Ｐｆまでの距離Ｌをそれぞれ計算する。その後、ステップＳ５９５に進み本処理を終了する。
【００６０】
距離算出処理が終了すると、再び図４の入れ替え表示処理に戻り、ステップＳ４１０にて、重要度取得部１７ａは、自電子ペーパＰａから各他電子ペーパＰｂまでの距離Ｌと所与の閾値ｔｈとを比較する。距離Ｌが閾値ｔｈ以上であれば、直ちにステップＳ４９５に進み本処理を終了する。このようにして、自電子ペーパから他電子ペーパまでの距離が所定以上離れている場合、表示制御部１８ａは、その他電子ペーパを表示書類の入れ替え対象から除外する。
【００６１】
一方、距離Ｌが閾値ｔｈより小さければ、ステップＳ４１５に進み、重要度取得部１７ａは、メモリ１２ａに記憶されたフラグｆｌが１に等しいかを判定する。フラグｆｌが１に等しい場合、フラグｆｌは既に重要度の比較が行われたことを示している。よって、この場合には直ちにステップＳ４９５に進み本処理を終了する。このようにして、フラグｆｌが１に等しい場合、他電子ペーパを自電子ペーパとの表示書類の入れ替え対象から除外する。
【００６２】
一方、フラグｆｌが１でない場合、重要度の比較は実行されていないことを示している。よって、重要度取得部１７ａは、ステップＳ４２０に進み、自電子ペーパの書類の重要度を取得する。たとえば、図３（ａ）のメモリ１２ａでは、他電子ペーパＰｂに対するフラグｆｌは０である。よって、重要度取得部１７ａは、自電子ペーパの書類の重要度Ｉとして図１に示した期限２／１０を取得する。
【００６３】
次に、重要度取得部１７ａは、ステップＳ４２５に進み、相手の電子ペーパの書類の重要度を取得する。ここでは、重要度取得部１７ａは、他電子ペーパＰｂに表示された書類の重要度として期限１／１５を受信することにより、電子ペーパＰｂの重要度を取得する。
【００６４】
次に、ステップＳ４３０にて、自電子ペーパの重要度と他電子ペーパの重要度とを比較する。比較の結果、他電子ペーパの重要度が自電子ペーパの重要度より高い場合、ステップＳ４３５にて、表示制御部１８ａは、メモリ１２ａ内の該当フラグを１に書き替え、ステップＳ４４０にて電子ペーパＰａと電子ペーパＰｂのメモリ１２ａ、１２ｂ内のデータを書き替え、メモリ１２ａ、１２ｂのデータに従い、ステップＳ４４５にて電子ペーパＰａ、Ｐｂの表示を書き替える。
【００６５】
たとえば、他電子ペーパＰｂの重要度である期限１／１５は、自電子ペーパＰａの重要度である期限２／１０より期限が早く到来するため重要度が高い。よって、図６（ａ）及び図６（ｂ）に示したように、表示制御部１８ａは、電子ペーパＰａ，Ｐｂのメモリ１２ａ、１２ｂ内の内容（書類の内容、フラグ、重要度等）を全て入れ替えて記憶する。また、電子ペーパＰａと電子ペーパＰｂの表示は、書類Ｂ、書類Ａに入れ替えられる。また、電子ペーパＰａと電子ペーパＰｂとの重要度の比較が実行されたので、電子ペーパＰａと電子ペーパＰｂとは、表示順番が整理されているとして、それぞれのフラグｆｌが１に書き替えられる。
【００６６】
次に、ステップＳ４５０にて、表示制御部１８ａは、すべての電子ペーパとの比較が済んだかを判定する。ここでは、他電子ペーパＰｂとの比較が済み、他電子ペーパＰｃ〜Ｐｆとの比較は済んでいない。よって、ステップＳ４１０に戻ってステップＳ４１０〜Ｓ４５０の処理を他電子ペーパとの比較が全て済むまで繰り返す。全ての比較が済んだとき、ステップＳ４９５に進み本処理を終了する。
【００６７】
［５．表示入れ替え結果］
以上の入れ替え表示処理の実行結果の一例を図６及び図７に示す。入れ替え表示処理を実行した結果、図６（ａ）及び図６（ｂ）に示したようにメモリ１２ａとメモリ１２ｂに記憶されたデータが入れ替えられ、図６（ｃ）及び図６（ｄ）に示したメモリ１２ｃとメモリ１２ｄのデータはそのままで、図６（ｅ）及び図６（ｆ）に示したようにメモリ１２ａとメモリ１２ｂに記憶されたデータが入れ替えられる。
【００６８】
この結果、図７に示したように、電子ペーパＰａの表示と電子ペーパＰｂの表示が入れ替えられる。これにより、重ねられた電子ペーパのうち、上に位置する電子ペーパほど重要度の高い書類を表示するようになる。また、電子ペーパＰｅの表示と電子ペーパＰｆの表示が入れ替えられる。これにより、バラバラに広げられた電子ペーパのうち、自電子ペーパから遠い電子ペーパほど重要度の低い書類を表示するように自動入れ替えがなされる。具体的には、電子ペーパＰａ→電子ペーパＰｆの順に緊急度の高い書類が表示される。期限なしの書類は一番緊急度が低い。
【００６９】
この結果、電子ペーパＰａ〜Ｐｆの広がりや重なりによって、重要度の高い書類が電子ペーパ利用者の目に届きやすい位置に表示されるように、書類の表示位置を自動的に入れ替えることができる。書類の表示媒体が紙の場合には、ユーザ自身が自ら必要な書類を探さなければならず、煩雑であるのに対して、電子ペーパファイルシステム１００では重要度に応じて電子ペーパの表示を自動的に並べ替えることができるため、書類の整理が容易であり、かつ書類の処理忘れを抑制することができる。
【００７０】
以上に説明したように、本実施形態に係る電子ペーパファイルシステム１００によれば、所定の場合に自電子ペーパに表示されている内容と他電子ペーパに表示されている内容との表示の入れ替えが可能になる。これにより、重要な書類がより見やすい位置の電子ペーパに表示されるため、優先順位の高い書類や重要な書類の処理のし忘れをより低減し、計画的に書類を処理することができる。
【００７１】
上記実施形態において、各部の動作は互いに関連しており、互いの関連を考慮しながら、一連の動作として置き換えることができる。これにより、電子ペーパの実施形態を、電子ペーパの入れ替え方法の実施形態とすることができる。
【００７２】
これにより、たとえば、電子ペーパの実施形態を次のような電子ペーパの入れ替え方法の実施形態とすることができる。すなわち、自電子ペーパから前記１又は２以上の他電子ペーパまでの距離を計算するステップと、前記自電子ペーパに表示された書類の重要度と前記１又は２以上の他電子ペーパに表示された書類の重要度とを取得するステップと、前記重要度取得部により取得された各電子ペーパに表示の書類の重要度に基づき、前記距離計算部により計算された前記自電子ペーパから前記１又は２以上の他電子ペーパまでの距離に応じて前記自電子ペーパから順に重要度の高い書類を表示するように、前記自電子ペーパに表示する書類と前記１又は２以上の他電子ペーパに表示する書類との入れ替えを制御するステップと、を備える電子ペーパの入れ替え方法の実施形態が実現できる。
【００７３】
なお、上記実施形態では、電子ペーパ毎にプロセッサを設けて各電子ペーパ自身が通信しあい、表示入れ替え制御を行っているが、これに限られず、サーバを用意してサーバで複数枚の電子ペーパの表示入れ替え制御を一括で管理してもよい。
【００７４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７５】
上記実施形態では、重要度として期限日を用いたが、本発明は、これに限られず、複数枚の電子ペーパを重ねたり、広げたりした場合に書類にアクセスした日付順に自動的に並べ替えて表示したり、関連書類別に自動的に並べ替えて表示したりしてもよい。重要度は、２つ以上予め定められていてもよく、その場合には重要度の優先順位が定められ、優先順位の高い重要度程優先して表示の入れ替えが実行されるようにしてもよい。
【符号の説明】
【００７６】
１１ａ              表示部
１２ａ              メモリ
１３ａ              センサ
１４ａ              送信部
１５ａ              受信部
１６ａ              距離計算部
１７ａ              重要度取得部
１８ａ              表示制御部
１９ａ              プロセッサ
１００              電子ペーパファイルシステム
Ｐａ、Ｐｂ，Ｐｃ，Ｐｄ，Ｐｅ，Ｐｆ  電子ペーパ
【図１】
2010175604.tif 000003
【図２】
2010175604.tif 000004
【図３】
2010175604.tif 000005
【図４】
2010175604.tif 000006
【図５】
2010175604.tif 000007
【図６】
2010175604.tif 000008
【図７】
2010175604.tif 000009